(57)【特許請求の範囲】
【請求項１】
ボールが載置されるボール載置部と、このボール載置部を支持して地面に固定される支持部を備え、
上記ボール載置部のボールが載置される載置面は、ボールの凸球面に沿う凹球状であり、この載置面の全面に、この載置面より突出した凸状のスピン緩和手段が設けられており、
上記スピン緩和手段は、上記ボールの表面に設けられた複数の凹部と嵌合する複数の凸部であることを特徴とするゴルフ用ティー。
【請求項２】
請求項１に記載のゴルフ用ティーにおいて、
上記ボール載置部は、少なくとも上記スピン緩和手段が軟質材料で形成されていることを特徴とするゴルフ用ティー。
【請求項３】
請求項１に記載のゴルフ用ティーにおいて、
上記ボール載置部と支持部との間に、上記ボール載置部の載置面の径方向と略平行に延びる通風路を有することを特徴とするゴルフ用ティー。
【発明の詳細な説明】
【技術分野】
【０００１】
本発明は、ゴルフボールを地面から離隔して支持するゴルフ用ティーに関する。
【背景技術】
【０００２】
通常、ゴルフクラブの打面には、ゴルフクラブのシャフトの延在方向に対してグリップの側を向いて傾斜したロフト角が設けられている。したがって、通常の打法によりゴルフクラブでボールを打つと、ボールの進行方向に略直交する水平軸回りに、このボールの進行方向から見て反重力方向に回転する所謂バックスピンがかかる。バックスピンの回転数が適正である場合、飛行するボールに適切な揚力を生じさせて飛距離を延ばす効果が得られるが、多くの場合、バックスピンの回転数が過剰になる傾向にあり、不適切な揚力が生じて飛距離が短縮する不都合や、着地後にボールが打点側に大幅に戻る等の不都合を招く。
【０００３】
このような問題を解決するため、従来、バックスピンを抑制するためのゴルフ用ティーが提案されている（例えば、特許文献１参照）。図９は、特許文献１のゴルフ用ティーを示す断面図である。このゴルフ用ティー１１０は、地面に突き刺される突刺軸部１１４とボールが載置されるボール載置部１１２で構成される。ボール載置部１１２は、突刺軸部１１４に取り付けられる取付部１１６と、ボールの凸球面に沿う形状の凹球面を有する皿状部１１８で構成されている。ボール載置部１１２を軟質の合成樹脂で形成し、かつ、皿状部１１８の直径Ｄを２５ｍｍ〜４０ｍｍの大きさとしている。これにより、図１０に示すように、ボール１０がクラブヘッド１１から矢印Ｓで示す方向に打力を受けると、ボール１０が皿状部１１８の打球反対側の部分Ｐを乗り越える。このとき、皿状部１１８の上記部分Ｐが変形することにより、ゴルフボール１０の移動に対し抵抗力を生じさせ、矢印Ｂで示される回転方向のバックスピンを相殺する方向の回転力Ａをボールに与えて、バックスピンがかからないようにしている。
【先行技術文献】
【特許文献】
【０００４】
【特許文献１】特開平８−１１２３８１号公報
【発明の概要】
【発明が解決しようとする課題】
【０００５】
しかしながら、上記従来のゴルフ用ティー１１０に載置されるボール１０は、鉛直上向きの成分を有する打力を受けるので、ボール１０が皿状部１１８の部分Ｐを乗り越えるときの変形量が比較的小さい。したがって、皿状部１１８の上記部分Ｐの変形によっては、ボール１０のバックスピンを相殺する程度の大きさの抵抗力が得難いので、バックスピンの抑制効果が不十分であるという問題がある。
【０００６】
そこで、本発明の課題は、ボールのバックスピンを十分に抑制できて、ボールに適切な回転数のスピンを与えることができるゴルフ用ティーを提供することにある。
【課題を解決するための手段】
【０００７】
上記課題を解決するため、本発明のゴルフ用ティーは、ボールが載置されるボール載置部と、このボール載置部を支持して地面に固定される支持部を備え、
上記ボール載置部のボールが載置される載置面は、ボールの凸球面に沿う凹球状であり、この載置面の全面に、この載置面より突出した凸状のスピン緩和手段が設けられており、
上記スピン緩和手段は、上記ボールの表面に設けられた複数の凹部と嵌合する複数の凸部である。
【０００８】
上記構成によれば、ボールに打力が与えられてボールが進行方向に移動すると、スピン緩和手段からボールに、バックスピンを和らげる方向の反力が与えられる。ここで、上記スピン緩和手段が、ボール載置部の載置面より突出した凸状をなすので、ボールに鉛直上向きの成分を有する打力が作用しても、ボールに効果的に反力を与えることができる。したがって、ボールのバックスピンを効果的に抑制して、適切な回転数のスピンをボールに与えることができる。
【０００９】
ここで、上記バックスピンとは、ボールの進行方向と直交する軸周りの回転であって、ボールの進行方向側から見て鉛直上向きの回転をいう。
【００１１】
また、本発明によれば、複数の凸部で形成されたスピン緩和手段は、ボールの表面に設けられた複数の凹部と嵌合するので、ボールにバックスピンを和らげる方向の反力を効果的に作用させることができる。
【００１２】
一実施形態のゴルフ用ティーは、上記スピン緩和手段は、断面において先端の尖った環状突起である。
【００１３】
上記実施形態によれば、断面において先端の尖った環状突起で形成されたスピン緩和手段は、ボールの移動に伴う変形量が比較的大きいので、ボールにバックスピンを和らげる方向の反力を効果的に作用させることができる。
【００１４】
一実施形態のゴルフ用ティーは、上記スピン緩和手段は、断面において丸みを帯びた形状を有する環状突起である。
【００１５】
上記実施形態によれば、断面において丸みを帯びた形状を有する環状突起で形成されたスピン緩和手段は、ボールの移動に伴ってボールの凹部の表面に密着するので、ボールにバックスピンを和らげる方向の反力を効果的に作用させることができる。
【００１６】
一実施形態のゴルフ用ティーは、上記ボール載置部は、少なくとも上記スピン緩和手段が軟質材料で形成されている。
【００１７】
上記実施形態によれば、軟質材料で形成されたスピン緩和手段は、ボールが進行方向に移動するに伴い、変形すると共にボールに密着するので、ボールにバックスピンを和らげる方向の反力を効果的に作用させることができる。
【００１８】
ここで、軟質材料とは、ボールの表面部分を形成する材料よりも柔軟な材料をいうが、好ましくは、クラブヘッドの打面に傷がつく不都合を防止するため、ＪＩＳ
Ｋ ６２５３のタイプＡデューロメーター硬さ試験による硬度（以下、単に「硬度」という）が７０以下の材料である。このような軟質材料として、天然ゴムや合成樹脂で形成されたエラストマーを用いることができ、柔軟性と付着性が高い点で、シリコーン樹脂を用いるのが好ましい。シリコーン樹脂以外の合成樹脂を用いる場合、ポリクロロプレン系、アクリロニトリル系、ブタジエン−スチレン系等の合成ゴムや、ポリスチレン系やポリプロピレン系等の軟質樹脂を用いることができる。
【００１９】
また、軟質材料は、スピン緩和手段のみに用いてもよく、また、スピン緩和手段を含んだボール載置部の一部に用いてもよく、また、ボール載置部の全部に用いてもよい。
【００２０】
一実施形態のゴルフ用ティーは、上記ボール載置部と支持部との間に、上記ボール載置部の載置面の径方向と略平行に延びる通風路を有する。
【００２１】
上記実施形態によれば、ボール載置部と支持部との間に設けられ、載置面の径方向と略平行に延びる通風路に、ボールを打つ際のクラブヘッドの動きに起因する風を逃がすことができる。これにより、風圧に起因してゴルフ用ティーに作用するボールの移動方向の力を、削減できる。その結果、スピン緩和手段からボールに、バックスピンを和らげる方向の反力を、効果的に作用させることができる。
【図面の簡単な説明】
【００２２】
【図１】第１実施形態のゴルフ用ティーを示す断面図である。
【図２】第１実施形態のゴルフ用ティーの載置面を展開して示した模式平面図である。
【図３】第１実施形態のゴルフ用ティーの使用状態を示す断面図である。
【図４】第２実施形態のゴルフ用ティーを示す断面図である。
【図５】第２実施形態のゴルフ用ティーを示す平面図である。
【図６】第３実施形態のゴルフ用ティーを示す断面図である。
【図７】第４実施形態のゴルフ用ティーを示す側面図である。
【図８】図７におけるＣ−Ｃ’矢視断面図である。
【図９】従来のゴルフ用ティーを示す断面図である。
【図１０】従来のゴルフ用ティーの使用状態を示す断面図である。
【発明を実施するための形態】
【００２３】
以下、本発明の実施形態を、添付の図面を参照しながら詳細に説明する。
【００２４】
図１は、本発明の第１実施形態のゴルフ用ティーを示す断面図であり、図２は、第１実施形態のゴルフ用ティーの模式平面図である。本実施形態のゴルフ用ティー１は、ボールが載置されるボール載置部２と、このボール載置部２を支持して地面に固定される支持部３とで構成されている。
【００２５】
ボール載置部２は、大略円錐状の側面を有し、この大略円錐状の底面に相当する領域に、ボールの凸球面に沿う凹球の載置面２ｂを有する。載置面２ｂには、この載置面２ｂから法線方向に突出したスピン緩和手段としての複数の凸部２ａが設けられている。この凸部２ａは、弓型断面を有する部分球体であり、ボールのディンプルを形成する凹部に嵌合可能な大きさに設定されている。なお、図２の模式平面図には、凸部２ａの配置位置を容易に理解するため、載置面２ｂを平面に展開した状態を示している。
【００２６】
上記スピン緩和手段としての凸部２ａを含むボール載置部２は、軟質材料としてのシリコーン樹脂によって形成されている。
【００２７】
ここで、ボール載置部２は、シリコーン樹脂以外に、軟質材料として天然ゴムや合成樹脂等のエラストマーで形成されてもよい。合成樹脂を用いる場合、ポリクロロプレン系、アクリロニトリル系、ブタジエン−スチレン系等の合成ゴムや、ポリスチレン系やポリプロピレン系等の軟質樹脂を用いることができる。上記軟質材料は、ボールの表面部分よりも柔軟であればよいが、好ましくは、硬度が７０以下である。硬度が７０以下の材料を用いることにより、クラブの打面に傷がつく不都合を防止できる。また、本実施形態では、ボール載置部２の全体をシリコーン樹脂で形成しているが、凸部２ａのみをシリコーン樹脂で形成してもよい。この場合、載置面２ｂよりも支持部３側の部分を、保形性を高めるため、シリコーン樹脂よりも高い硬度の樹脂で形成するのが好ましい。
【００２８】
上記ボール載置部２は、平面視における載置面２ｂの直径が、好ましくは約１５〜３０ｍｍであり、凸部２ａの直径が約２．８ｍｍである。なお、ボール載置部２の寸法及び凸部２ａの寸法は、これらに限られず、他の寸法でもよい。また、ボール載置部２の厚みは約１０ｍｍであり、このボール載置部２と支持部３とを合わせたゴルフ用ティー１の全体の軸方向の寸法は、約４０ｍｍである。なお、ゴルフ用ティー１の全体の軸方向の寸法は、ゴルフ用ティー１によるボールの地表面からの載置高さの設定に応じて、３０ｍｍ以上８０ｍｍ以下の範囲に適宜設定できる。
【００２９】
また、載置面２ｂの直径は、凸部２ａの設置個数に応じて種々の値に設定できる。また、凸部２ａの直径は、ボール載置部２が載置するボールのディンプルの寸法に応じて、適宜設定することができる。ボールのディンプルが、寸法の異なる複数の凹部のグループによって構成されている場合、最も数の多い凹部の寸法に凸部２ａの直径を設定するのが好ましい。また、ゴルフ用ティー１の軸方向の寸法は、ボール載置部２の寸法等に合わせて適宜設定できる。
【００３０】
支持部３は、基端から先端に向かって緩やかに縮径する樹脂製の棒状体であり、先端が、地中に容易に貫入可能な尖った形状に形成されている。支持部３の基端部は、大略円錐状をなすボール載置部２の頂点に相当する部分に固定されている。
【００３１】
本実施形態のゴルフ用ティー１は、次のようにしてボールのバックスピンを抑制する。まず、ゴルフ用ティー１のボール載置部２の載置面２ｂに、ボール１０の凸球面１０ｂを接触させた状態で、支持部３の先端を地中に貫入させて支持部３を地面に固定する。これにより、ゴルフ用ティー１は、ボール載置部２の凸部２ａがボール１０のディンプルの凹部１０ａに嵌合した状態で、ボール１０を支持する。
【００３２】
続いて、ゴルフクラブがスイングされ、図３に示すように、クラブヘッド１１が矢印Ｓの方向に移動し、クラブヘッド１１の打面からボール１０に打力が作用する。そうすると、ボール載置部の凸部２ａの表面と載置面２ｂから、ボール１０の凸球面１０ｂと凹部１０ａの表面に、矢印Ｆで示す方向の反力が作用する。ここで、ボール載置部の凸部２ａがボール１０の凹部１０ａに嵌合しているので、ボール１０に作用する打力が鉛直上向きの成分を有しているにもかかわらず、従来よりも大きな反力がボール載置部２からボール１０に付与される。これにより、矢印Ｂで示す方向のバックスピンが十分に低減された状態で、ボール１０が矢印Ｌに示す方向に飛行する。その結果、ボール１０に適正な回転数のバックスピンを付与することができ、飛距離の短縮や着地後のボールの戻りといった従来の不都合を、効果的に防止できる。
【００３３】
従来の一般的なゴルフ用ティーにボールを載置し、このボールにゴルフクラブで打力を与えた場合、ゴルフクラブに設けられたロフト角により、毎分３５００回転を超える回転数のスピンがかかることが多くあった。これに対して、本実施形態のゴルフ用ティー１によれば、ボール載置部の載置面に設けられたスピン緩和手段としての凸部２ａにより、ボールのバックスピンを効果的に抑制できて、ボールに毎分２０００〜２５００回転の適切な回転数のバックスピンをかけることができる。
【００３４】
図４は、第２実施形態のゴルフ用ティー１２を示す断面図であり、図５は、第２実施形態のゴルフ用ティー１２の平面図である。本実施形態のゴルフ用ティー１２は、ボール載置部２に設けられたスピン緩和手段の形状が、第１実施形態と異なる。第２実施形態において、第１実施形態と同様の部分については、同一の参照番号を用いて詳細な説明を省略する。
【００３５】
第２実施形態のボール載置部２は、軟質材料としてのシリコーン樹脂によって形成されている。ボール載置部２の載置面２１ｂには、スピン緩和手段として、載置面２１ｂより突出すると共に先端の尖った断面形状を有する環状突起２１ａが設けられている。環状突起２１ａは、図４に示すように、内径側の辺が外径側の辺よりも短い三角形断面を有する。環状突起２１ａは、外縁が円形の載置面２１ｂと同心をなして、外周側に３つ設けられている。なお、環状突起２１ａの設置個数は何個でもよい。
【００３６】
第２実施形態のゴルフ用ティー１２にボールが載置されると、ボールの表面が環状突起２１ａの先端に接触する。このボールに打力が作用すると、ボールが移動するにつれて環状突起２１ａのボールの移動側の部分が、内径側から外径側に向かって変形する。ここで、環状突起２１ａは、内径側の辺が外径側の辺よりも短い三角形断面を有するので、環状突起２１ａを内径側から外径側に向かって移動するボールに対して比較的大きな反力を作用させる。この反力により、ボールのバックスピンが十分に低減された状態でボールが飛行し、その結果、ボールに適正な回転数のバックスピンを付与することができる。
【００３７】
図６は、第３実施形態のゴルフ用ティー１３を示す断面図である。本実施形態のゴルフ用ティー１３は、ボール載置部２に設けられたスピン緩和手段の断面形状が、第２実施形態と異なる。第３実施形態において、第２実施形態と同様の部分については、同一の参照番号を用いて詳細な説明を省略する。
【００３８】
第３実施形態では、ボール載置部２の載置面２２ｂに設けられたスピン緩和手段としての環状突起２２ａが、図６に示すように、弓型断面を有する。本実施形態のゴルフ用ティー１３にボールを載置し、ボールに打力を作用させると、載置面２２ｂの内径側から外径側にボールが移動し、環状突起２２ａのボールの移動側の部分が変形する。ここで、環状突起２２ａは、弓形断面を有すると共に軟質材料で形成されているので、ボールの凸球面１０ｂと凹部１０ａの表面とに密着するように変形する。これにより、環状突起２２ａがボールに比較的大きな反力を作用させ、この反力により、ボールのバックスピンを十分に低減することができる。
【００３９】
なお、第３実施形態において、載置面２２ｂに環状突起２２ａを２つ設けたが、環状突起２２ａの設置個数は何個でもよい。
【００４０】
図７は、第４実施形態のゴルフ用ティー１４を示す側面図であり、図８は、図７のＣ−Ｃ’矢視断面図である。本実施形態のゴルフ用ティー１４は、ボール載置部２と支持部３との間に通風路５を設けた点が、第１実施形態と異なる。第４実施形態において、第１実施形態と同様の部分については、同一の参照番号を用いて詳細な説明を省略する。
【００４１】
第４実施形態のゴルフ用ティー１４は、ボール載置部２が軟質材料としてのシリコーン樹脂によって形成されている。このボール載置部２は、大略円錐台形状に形成されており、ボール載置部２の大径の底面に相当する領域に、第１実施形態と同様の凸部２ａ及び載置面２ｂが設けられている。一方、ボール載置部２の小径の底面に、樹脂製の支持部３と一体に成形された複数の柱状部材５１の先端が固定されている。柱状部材５１は、支持部３の基端面の縁部から、ボール載置部２の小径の底面の縁部に向かってティー１４の中心軸から遠ざかるように延出している。上記ボール載置部２の小径の底面と支持部３の基端面との間の空間が、複数の柱状部材５１で区切られて、通風路５が構成されている。
【００４２】
第４実施形態のゴルフ用ティー１４にボールを載置し、ボールに打力を作用させるとき、図８の平面図に示すように、クラブヘッド１１が矢印Ｓのようにゴルフ用ティー１４に近づくことに起因して、ゴルフ用ティー１４に向かう風が生じる。ここで、ゴルフ用ティー１４のボール載置部２と支持部３の間に通風路５が設けられているので、上記風が矢印Ｗで示すように通風路５を通って、ゴルフ用ティー１４のクラブヘッド１１の反対側に逃がされる。これにより、風に起因してゴルフ用ティー１４に作用するボールの移動方向の力を削減できる。したがって、ボール載置部２の凸部２ａ及び載置面２ｂから、ボール１０の凸球面１０ｂと凹部１０ａの表面に、ボール１０の移動に伴う反力が効果的に作用する。その結果、ボール１０はバックスピンが低減された状態で飛行し、適正な回転数のバックスピンが付与されて、飛距離の短縮と着地後の過大な戻りを防止できる。
【００４３】
第４実施形態において、ボール載置部２の底面と、支持部３の基端面との間の空間を複数の柱状部材５１で区切って通風路５を構成したが、通風路は、大略円錐形状のボール載置部の頂点部分に形成した貫通孔や、支持部の基端側部分に形成した貫通孔によって構成してもよい。
【符号の説明】
【００４４】
１  ゴルフ用ティー
２  ボール載置部
２ａ  凸部
２ｂ  載置面
３  支持部
【要約】
【課題】ボールのバックスピンを十分に抑制できて、ボールに適切な回転数のスピンを与えることができるゴルフ用ティーを提供すること。
【解決手段】ゴルフ用ティー１は、シリコーン樹脂で形成されたボール載置部２と、ボール載置部２を支持して地面に固定する支持部３とで構成される。ボール載置部２のボールが載置される載置面２ｂに、この載置面２ｂよりも突出した部分球体の複数の凸部２ａが設けられる。凸部２ａがボールのディンプルの凹部に嵌合した状態でボール載置部２に載置され、このボールに打力が作用すると、ボール載置部の凸部２ａの表面と載置面２ｂから、ボール１０の凸球面１０ｂと凹部１０ａの表面に、ボールのバックスピンに抗する反力が作用する。
【選択図】図１【図１】
0004733222.tif 000002
【図２】
0004733222.tif 000003
【図３】
0004733222.tif 000004
【図４】
0004733222.tif 000005
【図５】
0004733222.tif 000006
【図６】
0004733222.tif 000007
【図７】
0004733222.tif 000008
【図８】
0004733222.tif 000009
【図９】
0004733222.tif 000010
【図１０】
0004733222.tif 000011